(57)【要約】 【課題】壁の耐久性を向上させて超長期住宅化を達成することができる建物の壁構造を提供。【解決手段】柱１、土台２Ａ及び胴差２Ｂの建物外側の面に対して壁本体３の建物外側の面が壁厚み方向における中心側に形成されるとともに柱１、土台２Ａ及び胴差２Ｂの建物内側の面に対して壁本体３の建物内側の面が壁厚み方向の中心側に形成されて柱１、土台２Ａ及び胴差２Ｂが建物内外で露出される。壁本体３の内部には通気層３Ａが上下に伸びて設けられている。【選択図】図３
2010090591.tif 000002
【特許請求の範囲】
【請求項１】
柱及び梁から軸組が構成され、互いに対向する前記柱と、これらの柱の間に設けられた壁本体とを備えた建物の壁構造であって、
この壁本体の建物外側の面が前記柱の建物外側の面に対して壁厚み方向における中心側に形成されるとともに前記壁本体の建物内側の面が前記柱の建物内側の面に対して壁厚み方向の中心側に形成されて前記柱及び前記梁が露出され、前記壁本体の内部には通気層が上下に伸びて設けられていることを特徴とする建物の壁構造。
【請求項２】
請求項１に記載された建物の壁構造において、
前記通気層の上下端部に連通する開口が前記壁本体の建物外側の面にそれぞれ形成され、
前記通気層は前記開口と連続し略水平に形成される水平部と、この水平部に略直角に折れ曲がって形成され上下に延びる鉛直部とを備え、前記水平部には止水部材が設けられていることを特徴とする建物の壁構造。
【請求項３】
請求項２に記載された建物の壁構造において、
前記止水部材は、前記壁本体の端部に一部が埋設され残りが前記梁側に向けて延びた第一片と、この第一片に一端部が接合され他端部が建物外側に向けて延びた第二片とを有し、前記梁の前記止水部材に対向する部位が切り欠かれて前記水平部と連通する凹部空間が形成されることを特徴とする建物の壁構造。
【発明の詳細な説明】
【技術分野】
【０００１】
本発明は、柱及び梁から軸組が構成され、互いに対向する柱と、これらの柱の間に設けられた壁本体とを備えた建物の壁構造にかかり、特に、壁本体の平面が柱の平面より壁厚み方向中心側に位置して柱や壁が露出する真壁構造に関する。
【背景技術】
【０００２】
建物には種々の壁構造が採用されている。この壁構造には、例えば、隣り合う柱やこれらの柱を連結する梁の表面を壁本体で覆う大壁構造や、隣り合う柱と梁との間に壁本体を柱の表面より壁中心側に設けて柱や梁が露出する真壁構造がある。
この真壁構造は、木からなる柱や梁等が露出されることで、大壁構造に比べて、外観が良好であるとともに壁の補修が容易であるという利点の他、吸湿性が妨げられないので、建物の耐久性が高くなるという利点がある。そのため、真壁構造は、築数百年という古民家に採用されている。
しかしながら、古民家の真壁構造をそのまま現在の建物に利用することは工業化が図れず、施工性の観点から限界がある。
【０００３】
建物の耐久性を向上させるために、壁本体に通気層を設けることが知られている。例えば、建物内部が真壁構造であり、建物外部が大壁構造である壁構造において、壁仕上げ材と断熱ボードとの間に通気層を形成したものがある（特許文献１）。
【０００４】
【特許文献１】特開平１０−３０２８４号公報
【発明の開示】
【発明が解決しようとする課題】
【０００５】
しかし、特許文献１で示される従来例では、建物外部が大壁構造であるので、柱の建物外部側が壁本体によって覆われることになり、柱等の吸湿性や放湿性、換言すれば、調湿性が十分ではなく、建物の耐久性を高くすることができない。そのため、従来例の真壁構造のままでは、２００年住宅と称される超長期住宅に適用することができない。
【０００６】
本発明の目的は、壁の耐久性を向上させて超長期住宅化を達成することができる建物の壁構造を提供することにある。
【課題を解決するための手段】
【０００７】
本発明の建物の壁構造は、柱及び梁から軸組が構成され、互いに対向する前記柱と、これらの柱の間に設けられた壁本体とを備えた建物の壁構造であって、この壁本体の建物外側の面が前記柱の建物外側の面に対して壁厚み方向における中心側に形成されるとともに前記壁本体の建物内側の面が前記柱の建物内側の面に対して壁厚み方向の中心側に形成されて前記柱及び前記梁が露出され、前記壁本体の内部には通気層が上下に伸びて設けられていることを特徴とする。
この構成の発明では、柱及び梁の建物内外両面が露出される内外真壁構造が採用されることで、柱や梁の調湿性、つまり、吸湿性や放湿性を向上させることができる。しかも、壁本体には上下に延びる通気層が形成されているので、壁本体での湿気が溜まることを防止できる。そのため、本発明では、建物の耐久性が向上する。
【０００８】
なお、本発明では、柱の材料や断面サイズは種々のものを採用できるが、例えば、柱を集成材から成形、かつ、一辺が１５０ｍｍの断面正方形の５寸角の柱とすることが好ましい。柱を一辺が１２０ｍｍの４寸角から形成する従来例では、壁本体の厚さ寸法が制限されるので、その内部に断熱材や通気層を設けることができず、柱を一辺が１３５ｍｍの４．５寸角から形成する従来例では、壁本体を断熱材が収納される厚さに確保できるものの、この断熱材の収納スペースに加えて通気層を確保することができにくい。これらの要望を満たすためには、壁本体の厚さをより厚くすればよく、そのためには、柱の一辺が１５０ｍｍ（約５寸）を超える角材を用いればよいが、集成材を用いて柱をプレカットする現状の装置が使用できなくなる。つまり、集成材を用いて一辺が１５０ｍｍの柱を用いることで、壁本体に十分な通気層を形成することができるとともに、柱の効率的な製造が可能となる。
【０００９】
ここで、本発明では、前記通気層の上下端部に連通する開口が前記壁本体の建物外側の面にそれぞれ形成され、前記通気層は前記開口と連続し略水平に形成される水平部と、この水平部に略直角に折れ曲がって形成され上下に延びる鉛直部とを備え、前記水平部には止水部材が設けられている構成が好ましい。
【００１０】
この構成の発明では、建物外部の空気が一方の開口から壁本体の内部の通気層に流入する。この通気層では一方の開口から流入された空気は当該開口と連続する一方の水平部から鉛直部及び他方の水平部を通って他方の開口から建物外部に流出される。この際、水平部と鉛直部とは略直角に折れ曲がっており、しかも、水平部に止水部材が設けられているから、開口から通気層の鉛直部に雨水が入りにくくなっている。そのため、雨水が通気層の内部に溜まることが少なく、仮に、通気層の内部に雨水が溜まることがあっても、直ちに他方の開口から流出するので、壁の耐久性をこの点からも確保することができる。
【００１１】
前記止水部材は、前記壁本体の端部に一部が埋設され残りが前記梁側に向けて延びた第一片と、この第一片に一端部が接合され他端部が建物外側に向けて延びた第二片とを有するものあり、前記梁の前記止水部材に対向する部位が切り欠かれて前記水平部と連通する凹部空間が形成される構成が好ましい。なお、第二片の第一片への接合箇所は第一片の中央部でもよく、この中央部から外れた部分でもよい。
【００１２】
この構成の発明では、止水部材が水平部に配置されており、開口からは第二片の端部しか見えないので、外観が良好となる。
【発明を実施するための最良の形態】
【００１３】
以下に、本発明の一実施形態を図面に基づいて説明する。
図１には本実施形態にかかる壁構造の縦断面図が示され、図２には壁構造の水平断面図が示されている。
図１及び図２において、２階建ての建物の壁構造は複数本の柱１と梁２とで軸組が構成されるとともに柱１と梁２との間に壁本体３が設けられ、これらの柱１及び梁２のそれぞれ建物外側面と建物内側面とが露出された内外真壁構造である。なお、図１では、建物の外周部の壁構造が示されており、梁２は基礎４の上に設けられた土台２Ａと、１階部分と２階部分との境界部分に設けられた胴差２Ｂである。
土台２Ａは、集成材から形成され、かつ、その建物内外の厚さ寸法が１５０ｍｍ（約５寸）、高さ寸法が１５０ｍｍの断面正方形に形成されている。
胴差２Ｂは、集成材から形成され、かつ、その建物内外の厚さ寸法が１５０ｍｍ、高さ寸法が３００ｍｍの断面長方形に形成されている。
【００１４】
土台２Ａの建物内側上端には１階床５の端部が接合されている。この１階床５は、土台２Ａの上端面に配置される角材５１と、この角材５１に一端部が設けられる構造用合板５２と、この構造用合板５２の上に設けられるフローリング５３とを備えている。
構造用合板５２の下面には、例えば、商品名旭ファイバーＡＦボードからなる断熱材５４が設けられている。
胴差２Ｂの建物内側上端には２階床６の端部が接合されている。この２階床６は、胴差２Ｂの上端面に一端部が設けられる構造用合板６１と、この構造用合板６１の上に設けられるフローリング６２とを備えている。
【００１５】
図２において、柱１は集成材から形成され、かつ、その建物内外の厚さ寸法が１５０ｍｍ（約５寸）、厚さ方向と直交する幅方向寸法が１５０ｍｍの断面正方形に形成されている。
図１及び図２において、壁本体３は、その建物外側から建物内側に向けて、外壁部３１、断熱部３２及び内壁部３３が配置されている。
外壁部３１は、建物外側から建物内側に向けて、そとん壁３１１、耐水合板３１２、通気胴縁３１３及び構造用合板３１４が配置されており、このうち、そとん壁３１１は、その正面が柱１及び梁２の建物外側の正面に対して壁厚み方向における中心側、つまり、正面から１２ｍｍ後退して形成されている。
【００１６】
そとん壁３１１は、多孔質構造からなり、結露及び湿気に強いシラス壁である。そとん壁３１１は厚さ１８ｍｍであって、下地用金網（図示せず）が設けられている。
耐水合板３１２は厚さが９ｍｍである。耐水合板３１２及びそとん壁３１１は重ね合わされており、その端縁部が柱１に形成された凹部１Ａに嵌合されている。
構造用合板３１４は厚さ９ｍｍの板材であり、その建物外側の正面全面に透湿防水シート３１５が設けられている。
通気胴縁３１３は透湿防水シート３１５と耐水合板３１２との間であって柱１に沿って上下に延びて配置されており、その厚さ寸法は１８ｍｍである。
【００１７】
断熱部３２は互いに対向する柱１の側面と土台２Ａの上面及び胴差２Ｂの下面とにそれぞれ沿って配置された厚さ４５ｍｍの受材３２１と、これらの受材３２１に囲われた領域に配置された厚さ４５ｍｍの断熱材３２２とを備えている。この断熱材３２２は、例えば、商品名旭ファイバーＡＦボードから構成される。
内壁部３３は、断熱材３２２に対向する厚さ１２．５ｍｍの石膏ボード３３１と、この石膏ボード３３１に設けられる厚さ５ｍｍの自然素材塗壁仕上３３２とを備えている。
石膏ボード３３１及び自然素材塗壁仕上３３２は重合されており、その端縁部が柱１に形成された凹部１Ａに嵌合されている。
自然素材塗壁仕上３３２の建物内側の面は柱１及び梁２の建物内側の面に対して壁厚み方向の中心側に２１．５ｍｍずれて形成される。
隣合う通気胴縁３１３と、透湿防水シート３１５と耐水合板３１２とで区画された空間から通気層３Ａが形成されている。
【００１８】
通気層３Ａの構造が図３に拡大して示されている。
図３において、通気層３Ａは外壁部３１の内部に上下に伸びて設けられており、その上端部は外壁部３１と胴差２Ｂとの間に形成された上部開口３０Ｕと連通され、その下端部は外壁部３１と土台２Ａとの間に形成された下部開口３０Ｄと連通されている。
通気層３Ａは、上部開口３０Ｕと連続し略水平に形成される上部水平部３１Ｕと、下部開口３０Ｄと連続し略水平に形成される下部水平部３１Ｄと、これらの水平部３１Ｕ，３１Ｄに略直角に折れ曲がって形成され上下に延びる鉛直部３１Ｖとを備え、建物外部から下部開口３０Ｄを通って流入した外気Ｐは下部水平部３１Ｄ、鉛直部３１Ｖ及び上部水平部３１Ｕを通り、上部開口３０Ｕから建物外部へ流出される。
【００１９】
上部水平部３１Ｕに臨むように止水部材７が外壁部３１に取り付けられている。この止水部材７は、図４にも示される通り、上下に延びた長さ２５ｍｍで厚さ２ｍｍの第一片７１と、この第一片７１の略中心部に一端部が接合され他端部が水平方向に延びた長さ２２ｍｍで厚さ２ｍｍの第二片７２とを有する断面Ｔ形部材であり、壁本体３の幅方向に沿って連続形成されている。この止水部材７はアルミの押出成形により成型される。
図３において、第一片７１は、その下端部が、そとん壁３１１と耐水合板３１２との間に埋設されるとともに上端部が胴差２Ｂ側に向けて延びて形成されている。第二片７２はその下面がそとん壁３１１の上端面に当接され、その他端側が４ｍｍ程度、そとん壁３１１の平面から突出している。
【００２０】
胴差２Ｂの止水部材７に対向する部位は切り欠かれて上部水平部３１Ｕと連通する凹部空間３１Ａが形成される。この凹部空間３１Ａの高さは上部水平部３１Ｕの高さと同じ１０ｍｍである。
胴差２Ｂの凹部空間３１Ａの上面にはガルバリウム鋼板から形成される上部防虫網９１が設けられている。この上部防虫網９１は図５（Ａ）（Ｂ）に詳細な構造が示されている。図５（Ａ）は上部防虫網９１の端面図であり、図５（Ｂ）はその背面図である。
図５（Ａ）（Ｂ）に示される通り、上部防虫網９１は胴差２Ｂにねじ等で取り付ける取付片９１Ａと複数の孔が形成された網片９１Ｂとが折れ曲がって断面Ｌ字形に形成されており、その幅方向寸法は壁本体３と略同じである。上部防虫網９１の断面先端部は折り返し部が形成されている。この折り返し部は、図３では、止水部材７の第二片７２の上面部に当接され、かつ、第一片７１より建物外側に配置されている。そのため、上部防虫網９１は止水機能を併せて有する。なお、本実施形態では、通気性を確保するために、上部防虫網９１の折り返し部を止水部材７の第二片７２の上面部から離隔してもよい。
【００２１】
図３において、下部水平部３１Ｄに臨むようにアルミ製のアングル材８１が外壁部３１に取り付けられている。このアングル材８１は、そとん壁３１１と耐水合板３１２との間に埋設される第一片８１Ａと、そとん壁３１１の下端面を支持する第二片８１Ｂとから構成されている。
外壁部３１にはガルバリウム鋼板から形成される土台上水切８２が設けられている。この土台上水切８２は透湿防水シート３１５の下端部に取り付けられる取付部８２Ａと、この取付部８２Ａに一体形成され下部水平部３１Ｄに配置される本体部８２Ｂと、この本体部８２Ｂに一体に形成され土台２Ａの正面を覆う覆部８２Ｃとから形成されている。
耐水合板３１２の下端部にはガルバリウム鋼板から形成される下部防虫網９２が設けられている。この下部防虫網９２は図６（Ａ）（Ｂ）に詳細な構造が示されている。図６（Ａ）は下部防虫網９２の端面図であり、図６（Ｂ）はその底面図である。
図６（Ａ）（Ｂ）に示される通り、下部防虫網９２は耐水合板３１２の下端部にねじ等で取り付ける取付片９２Ａと複数の孔が形成された網片９２Ｂとが折れ曲がって断面Ｌ字形に形成されており、その幅方向寸法は壁本体３と略同じである。下部防虫網９２の断面先端部は折り返し部が形成されている。なお、本実施形態では、通気胴縁３１３に段差を設けておき、この段差に下部防虫網９２を釘打ちで固定するものでもよい。
【００２２】
従って、本実施形態では、次の作用効果を奏することができる。
（１）柱１、土台２Ａ及び胴差２Ｂの建物外側の面に対して壁本体３の建物外側の面が壁厚み方向における中心側に形成されるとともに柱１、土台２Ａ及び胴差２Ｂの建物内側の面に対して壁本体３の建物内側の面が壁厚み方向の中心側に形成されて柱１、土台２Ａ及び胴差２Ｂが建物内外で露出されている。しかも、壁本体３の内部には通気層３Ａが上下に伸びて設けられている。そのため、本実施形態では、柱１、土台２Ａ及び胴差２Ｂの建物内外両面が露出される内外真壁構造が採用されることで、柱１、土台２Ａ及び胴差２Ｂの吸湿性や放湿性を向上させることができるだけでなく、壁本体３に上下に延びる通気層３Ａが形成されているので、壁本体３での湿気が溜まることを防止できる。これにより、壁、ひいては、建物全体の耐久性が向上する。
【００２３】
（２）通気層３Ａの上端部に連通する上部開口３０Ｕと下端部に連通する下部開口３０Ｄとが壁本体３の建物外側の面にそれぞれ形成されている。しかも、通気層３Ａは、上部開口３０Ｕに連続し略水平に形成される上部水平部３１Ｕと、下部開口３０Ｄに連続し略水平に形成される下部水平部３１Ｄと、これらの水平部３１Ｕ，３１Ｄに略直角に折れ曲がって形成され上下に延びる鉛直部３１Ｖとを備え、上部水平部３１Ｕに望むように止水部材７が設けられている。従って、建物外部の空気が下部開口３０Ｄから壁本体の内部の通気層３Ａに流入して上部開口３０Ｕから流出するが、通気層３Ａを構成する水平部３１Ｕ，３１Ｄと鉛直部３１Ｖとは略直角に折れ曲がっており、しかも、上部水平部３１Ｕに止水部材７が設けられているから、上下の開口３０Ｕ，３０Ｄから通気層３Ａの鉛直部３１Ｖに雨水が入りにくくなり、壁の耐久性をこの点からも確保することができる。
【００２４】
（３）止水部材７は、第一片７１の略中心部に第二片７２の一端が接合された断面Ｔ形部材であって、アルミの押出成形で成型されるので、構造が簡易であって、大量生産が可能であるため。壁の施工コストを下げることができる。
（４）止水部材７は第二片７２の他端部のみが壁本体３から突出して形成されており、第一片７１は壁本体３の奥まった箇所に配置されているので、止水部材７は上部開口３０Ｕから第二片７２の端部しか見えず、外観が良好となる。
【００２５】
（５）第一片７１の中心部から下端にかけて壁本体３に埋設されており、第二片７２の下面が壁本体３の上端面に当接しているので、止水部材７の壁本体３への取付が強固になり、止水部材７が誤って脱落することがない。
（６）胴差２Ｂの止水部材７に対向する部位が切り欠かれて上部水平部３１Ｕと連通する凹部空間３１Ａが形成される。そのため、止水部材７が壁本体３の上部に設けられていても、通気層３Ａの断面積を大きく確保することができる。そのため、通気層３Ａが止水部材７で閉塞されることがないので、確実な壁本体３の通気を確保することができる。
【００２６】
（７）外壁部３１に土台上水切８２が設けられているので、土台２Ａと壁本体３との間からの雨水の浸入を防止することができる。
（８）上部水平部３１Ｕに上部防虫網９１が設けられ、下部水平部３１Ｄに下部防虫網９２が設けられているので、建物外部から通気層３Ａを通って害虫が建物内部に入り込むことを防止できる。
（９）柱１は集成材から形成され、かつ、一辺が１５０ｍｍ（約５寸）平方の断面正方形に形成されるので、内外真壁構造であっても、壁本体３の厚さ寸法を外壁部３１及び通気層３Ａを設けるに十分な厚さにすることができる。
【００２７】
なお、本発明は前記実施形態に限定されるものではなく、本発明の目的を達成できる範囲での変形、改良等は本発明に含まれるものである。
例えば、前記実施形態では、上部水平部３１Ｕに望むように止水部材７が壁本体３に設けられた構造であるが、本発明では、図７に示される通り、止水部材７を設けることなく、胴差２Ｂに胴差上水切８３を設ける構造であってもよい。
仮に、止水部材７を設けるものであっても、前記実施形態の構造に限定されるものではなく、例えば、止水部材をアングル材から形成し、その一辺を耐水合板３１２の上端面に接合する構造であってもよい。仮に、止水部材７を第一片７１と第二片７２とから構成する場合であっても、前記実施形態のように断面Ｔ型にすることを要せず、例えば、第一片７１の中央部から上方又は下方にシフトした位置に第二片７２を接合する構造でもよい。
【００２８】
また、本発明の内外真壁構造は２階建ての建物に限定されるものではなく、１階建ての建物にも適用できる。そして、柱１及び梁２は必ずしも集成材で形成されるものに限定されるものではなく、柱１及び梁２の断面寸法も前記実施形態に限定されるものではない。
さらに、上部防虫網９１と下部防虫網９２とを必ずしも設けることを要しない。そして、内壁部３３を構成する石膏ボード３３１や外壁部３１を構成する構造用合板３１４に代えて天然素材から形成され湿度調整な可能な内装建材（商品名モイス）を用いてもよい。
さらに、真壁を構成する部材の寸法は前記実施形態に限定されるものではない。
【産業上の利用可能性】
【００２９】
本発明は、柱及び梁から軸組が構成され、互いに対向する柱と、これらの柱の間に設けられた壁本体とを備えた真壁構造を有する建物に利用できる。
【図面の簡単な説明】
【００３０】
【図１】本発明の一実施形態にかかる建物の壁構造の縦断面図。
【図２】前記実施形態にかかる建物の壁構造の水平断面図。
【図３】前記実施形態の要部の拡大断面図。
【図４】止水部材の端面図。
【図５】（Ａ）は上部防虫網の端面図、（Ｂ）は背面図。
【図６】（Ａ）は下部防虫網の端面図、（Ｂ）は底面図。
【図７】本発明の変形例を示すもので図１に対応する図。
【符号の説明】
【００３１】
１…柱、２…梁、２Ａ…土台、２Ｂ…胴差、３…壁本体、３Ａ…通気層、７…止水部材、３０Ｄ…下部開口、３０Ｕ…上部開口、３１…外壁部、３１Ａ…凹部空間、３１Ｄ…下部水平部、３１Ｕ…上部水平部、３１Ｖ…鉛直部、３２…断熱部、３３…内壁部、５４…断熱材、７１…第一片、７２…第二片
【図１】
2010090591.tif 000003
【図２】
2010090591.tif 000004
【図３】
2010090591.tif 000005
【図４】
2010090591.tif 000006
【図５】
2010090591.tif 000007
【図６】
2010090591.tif 000008
【図７】
2010090591.tif 000009